(57)【要約】 【課題】  ヒンジ長を長く確保することで、操作性の向上を図るとともに、ボタンの一部に発生し得る応力に起因する破損のおそれを未然に解消することができるボタン構造を提供する。【解決手段】  リブ固定部１４が、パネル１０の壁部に移動可能に嵌合されることで、従来のボタン構造よりヒンジ長Ｌ２を長く確保し得、このヒンジ長Ｌ２を長く確保し得ること、およびリブ固定部１４が壁部に所定小距離移動可能に嵌合されていることによって、従来のボタン構造より、リブ固定部１４を含むボタン自体の弾性変形量を小さくする。【選択図】      図１
2006049021.tif 000002
【特許請求の範囲】
【請求項１】
パネルに配設されるボタンの構造であって、
前記パネルの壁部に、前記ボタンのリブ固定部が移動可能に嵌合されることを特徴とするボタン構造。
【請求項２】
前記ボタンは操作部およびヒンジ部をさらに含み、前記操作部は、前記ヒンジ部の延在方向に平行な軸線まわりに揺動変位可能に構成されることを特徴とする請求項１記載のボタン構造。
【請求項３】
複数のボタンが連結されて成ることを特徴とする請求項１または２記載のボタン構造。
【請求項４】
前記リブ固定部は略Ｌ形状に形成されることを特徴とする請求項１記載のボタン構造。
【請求項５】
前記リブ固定部には、漏光防止のためのつばが付設されていることを特徴とする請求項１〜４のいずれか１つに記載のボタン構造。
【請求項６】
前記リブ固定部は、壁部の一表面部および他表面部を部分的に挟み込むように形成されることを特徴とする請求項１記載のボタン構造。
【請求項７】
前記リブ固定部は、透光材料から成り、発光可能であることを特徴とする請求項１記載のボタン構造。
【請求項８】
前記リブ固定部の一部は、パネルの所期表面部に臨むように形成されることを特徴とする請求項７記載のボタン構造。
【請求項９】
前記リブ固定部には、パネルに隣接して配設すべき対象物を位置決めするための被係合部が形成されていることを特徴とする請求項１〜８のいずれか１つに記載のボタン構造。
【発明の詳細な説明】
【技術分野】
【０００１】
本発明は、ボタン構造に関し、たとえばカーオーディオなどの電子機器に好適に適用される。
本発明において、「略Ｌ形状」はＬ形状を含む。
【背景技術】
【０００２】
カーオーディオなどの電子機器において、パネルの端部に配設されるボタンは、ヒンジ部を含む構造（ヒンジ構造と称す）のものが適用されている（たとえば特許文献１参照）。図１０は、従来のボタン構造の図であり、図１０（ａ）はボタン構造の正面図、図１０（ｂ）はボタン構造の要部の断面図である。なお図１０（ｂ）は、図１０（ａ）のＡ−Ａ線断面図である。ボタン１は、主に、操作ノブ２、ヒンジ部３および駆動部４を含む。このボタン１のうち駆動部４は、ヒンジ部３を支点に揺動変位可能になっている。つまりヒンジ部３は弾性変形可能に形成されている。しかも操作ノブ２はパネル５の一表面部から所定小距離突出するように配設されている。操作者がこの操作ノブ２を押圧することで、ヒンジ部３等が弾性変形しつつ駆動部４が揺動変位することによって、スイッチング状態つまりオン−オフが切替えられる。
【０００３】
【特許文献１】特開平９−３２０３９４号公報
【発明の開示】
【発明が解決しようとする課題】
【０００４】
従来のパネル５の端部に配設されるボタン構造では、パネル５の壁部５ａに規制されてヒンジ長Ｌ１を長く確保することができないので、次のような（１）〜（３）の問題がある。前記ヒンジ長Ｌ１とは、図１０（ｂ）に示すように、パネル５の壁部５ａに臨むヒンジ部３の一端部から、操作ノブ２に一体化するヒンジ部３の他端部までの長さと同義である。
【０００５】
（１）ヒンジ部３の弾性変形量が大きくなり、操作ノブ２および駆動部４の動作力が重くなり操作し難い。（２）操作ノブ２および駆動部４の回転半径が小さくなる。この回転半径が小さくなるに従って、操作ノブ２を押圧操作する際の操作フィーリングが悪くなる。（３）前記動作力が重くなるため、ヒンジ部３の発生応力が大きくなる。これによってヒンジ部３が破損するおそれがある。前述の（１）〜（３）の問題によって、ボタン１の配設位置の変更つまりレイアウト変更、またはボタン構造の変更等が必要となる。
【０００６】
本発明の目的は、ヒンジ長を長く確保することで、操作性の向上を図るとともに、ボタンの一部に発生し得る応力に起因する破損のおそれを未然に解消することができるボタン構造を提供することである。
【課題を解決するための手段】
【０００７】
本発明は、パネルに配設されるボタンの構造であって、
前記パネルの壁部に、前記ボタンのリブ固定部が移動可能に嵌合されることを特徴とするボタン構造である。
【０００８】
本発明に従えば、ボタンのリブ固定部が、パネルの壁部に移動可能に嵌合される。この壁部にリブ固定部が嵌合されることで、従来のボタン構造より、ヒンジ長を長く確保し得る。
【０００９】
また本発明は、前記ボタンは操作部およびヒンジ部をさらに含み、前記操作部は、前記ヒンジ部の延在方向に平行な軸線まわりに揺動変位可能に構成されることを特徴とする。
【００１０】
本発明に従えば、ボタンは操作部およびヒンジ部をさらに含む。前記操作部は、前記ヒンジ部の延在方向に平行な軸線まわりに揺動変位する。
【００１１】
また本発明は、複数のボタンが連結されて成ることを特徴とする。
本発明に従えば、複数のボタンが連結されて成る。これら複数のボタンを一体にパネルに配設することが可能となるので、組立工数の低減を図ることができ、製造コストを低減することができる。
【００１２】
また本発明は、前記リブ固定部は略Ｌ形状に形成されることを特徴とする。
本発明に従えば、リブ固定部が略Ｌ形状に形成される。壁部に嵌合されるべきリブ固定部の嵌合安定性を向上することが可能となる。
【００１３】
また本発明は、前記リブ固定部には、漏光防止のためのつばが付設されていることを特徴とする。
【００１４】
本発明に従えば、リブ固定部に付設されるつばによって、パネル内部の光源からの漏光を防止する。
【００１５】
また本発明は、前記リブ固定部は、壁部の一表面部および他表面部を部分的に挟み込むように形成されることを特徴とする。
【００１６】
本発明に従えば、リブ固定部は、壁部の一表面部および他表面部を部分的に挟み込むようになっている。これによって壁部に対するリブ固定部の嵌合安定性を向上することが可能となる。
【００１７】
また本発明は、前記リブ固定部は、透光材料から成り、発光可能であることを特徴とする。
【００１８】
本発明に従えば、リブ固定部は、透光材料から成り、発光する。したがってボタンの夜間視認性を向上することができる。
【００１９】
また本発明は、前記リブ固定部の一部は、パネルの所期表面部に臨むように形成されることを特徴とする。
【００２０】
本発明に従えば、リブ固定部の一部は、パネルの所期表面部に臨む。したがって別のインジケータ等を設けることなく、ボタンの夜間視認性を向上することができる。
【００２１】
また本発明は、前記リブ固定部には、パネルに隣接して配設すべき対象物を位置決めするための被係合部が形成されていることを特徴とする。
【００２２】
本発明に従えば、リブ固定部には、被係合部が形成される。この被係合部によって、パネルに隣接して配設すべき対象物を位置決めする。
【発明の効果】
【００２３】
本発明によれば、ボタンのリブ固定部が、パネルの壁部に移動可能に嵌合される。この壁部にリブ固定部が嵌合されることで、従来のボタン構造よりヒンジ長を長く確保し得る。これによって従来のボタン構造より、ボタン自体の弾性変形量を小さくすることが可能となるうえ、ヒンジ部がパネル端の壁部に規制されることがない。
【００２４】
したがってボタンの動作力が従来のものより軽くなり、ボタンの操作性を向上することができる。またヒンジ長を長く確保し得ることで、従来のボタン構造よりボタンの回転半径を大きくすることが可能となる。それ故、ボタンの操作フィーリングの向上を図ることができる。また従来のボタン構造より、ボタン自体の弾性変形を抑制しつつボタン操作可能であるうえ、ヒンジ部がパネル端の壁部に規制されることがないので、ボタンの一部に発生し得る応力に起因する破損のおそれを、未然に解消することができる。ヒンジ長を従来のヒンジ長と同等にした場合には、ボタンをパネルの壁部（つまり端）に近接して配設することができる。このようにデザインの自由度を大きくすることができる。
【００２５】
また本発明によれば、操作部は、ヒンジ部の延在方向に平行な軸線まわりに揺動変位する。このようなボタン構造を実現することができる。
【００２６】
また本発明によれば、複数のボタンが連結されて成る。これら複数のボタンを一体にパネルに配設することが可能となるので、組立工数の低減を図ることができ、製造コストを低減することができる。
【００２７】
また本発明によれば、リブ固定部が略Ｌ形状に形成される。壁部に嵌合されるべきリブ固定部の嵌合安定性を向上することが可能となる。
【００２８】
また本発明によれば、リブ固定部に付設されるつばによって、パネル内部の光源からの漏光を防止することができる。
【００２９】
また本発明によれば、リブ固定部は、壁部の一表面部および他表面部を部分的に挟み込む。これによって壁部に対するリブ固定部の嵌合安定性を向上することが可能となる。
【００３０】
また本発明によれば、リブ固定部は、透光材料から成り、発光する。したがってボタンの夜間視認性を向上することができる。
【００３１】
また本発明によれば、リブ固定部の一部は、パネルの所期表面部に臨む。したがって別のインジケータ等を設けることなく、ボタンの夜間視認性を向上することができる。それ故、本ボタン構造を含む装置の製造コストを一層低減することができる。
【００３２】
また本発明によれば、リブ固定部には、被係合部が形成される。この被係合部によって、パネルに隣接して配設すべき対象物を位置決めすることができる。
【発明を実施するための最良の形態】
【００３３】
図１は、本発明の第１の実施形態に係るボタン構造の図であり、図１（ａ）はボタン構造の正面図、図１（ｂ）はパネル１０とリブ固定部１１との関係を示す平面図、図１（ｃ）はボタン構造の断面図である。なお図１（ｂ）は、図１（ａ）のＢ−Ｂ線端面図であり、図１（ｃ）は、図１（ａ）のＣ−Ｃ線断面図である。本実施形態に係るボタン１２は、たとえばカーオーディオなどの電子機器のパネルの端部に配設される。
【００３４】
第１の実施形態に係るボタン１２（第１ボタン１２と称す）は、この電子機器を操作すべき操作者に臨むパネル１０の操作面（一表面部）における隅部つまり端部に配設される。前記パネル１０は、たとえばＡＢＳ樹脂などの合成樹脂または金属から成る。第１ボタン１２は、主に、操作部である操作ノブ１３、リブ固定部１４および駆動部１５を有し、これら操作ノブ１３、リブ固定部１４および駆動部１５は射出成形などによって一体に形成されている。第１ボタン１２のうち駆動部１５は、リブ固定部１４を支点に揺動変位可能になっている。操作ノブ１３は、パネル１０の一表面部１０ａから所定小距離突出するように配設されている。操作者は、この操作ノブ１３を押圧操作可能になっている。操作者が操作ノブ１３を押圧操作することで、リブ固定部１４を支点として駆動部１５が揺動変位する。これによってスイッチング状態つまりオン−オフが切替え可能になっている。
【００３５】
前記リブ固定部１４は、パネル１０の壁部に移動可能に嵌合されている。換言すれば、操作面を成す一表面部１０ａに隣接するパネル１０の壁部のうちの一部分が切欠き形成されており、この切欠き部１０ｂに、リブ固定部１４が嵌合されている。リブ固定部１４は、操作ノブ１３の基端部から、この操作ノブ１３の一側壁部１３ａに対し垂直に延びるように形成されている。ただしリブ固定部１４の一端部１４ａは、外方に臨むパネル１０の表面部と略面一状となるように形成されている（図１（ｂ）参照）。前記「略面一状」は面一状を含む。
【００３６】
図１（ｂ）に示すように、切欠き部１０ｂは、主切欠き部と副切欠き部とを含む。これらのうち主切欠き部は、リブ固定部１４の一端部１４ａを嵌合する主たる切欠き部であって、一端部１４ａの厚みｔ１よりもやや幅広に形成されている。これによって前記壁部に嵌合されたリブ固定部１４の移動を可能としている。壁部において、主切欠き部の両端から副切欠き部がそれぞれ主切欠き部の延在方向に直交して延びるように形成されるとともに、これら主および副切欠き部が「コ」字形状となるように形成されている。前記副切欠き部によって、リブ固定部１４の一端部１４ａを、パネル１０の壁部に容易に嵌合させ得るようになっている。つまりパネル１０の壁部のうち、主および副切欠き部の内周付近αは、壁部のその他の部位に比べて容易に弾性変形することが可能となる。この主および副切欠き部の内周付近αの弾性変形容易性を利用して、切欠き部１０ｂのスリット幅を一時的に大きくしたうえで、リブ固定部１４の一端部１４ａを、パネル１０の壁部に容易に嵌合させることができる。
【００３７】
図１（ｂ）に示すように、パネル１０の壁部には、このパネル１０のうち主および副切欠き部の外周付近βを撓ませるためのスリット１６が形成されている。このスリット１６によって、パネル１０の前記外周付近βを撓ませることで、ボタン１２をさほど弾性変形させることなく、換言すればボタン１２自体の弾性変形量を極力小さくして、リブ固定部１４の一端部１４ａを、パネル１０の壁部にさらに容易に嵌合させることができる。
【００３８】
以上説明した第１ボタン構造によれば、リブ固定部１４が、パネル１０の壁部に移動可能に嵌合されることで、従来のボタン構造よりヒンジ長Ｌ２を長く確保し得る。このヒンジ長Ｌ２を長く確保し得ること、およびリブ固定部１４が壁部に所定小距離移動可能に嵌合されていることによって、従来のボタン構造より、リブ固定部１４を含むボタン１２自体の弾性変形量を小さくすることが可能となるうえ、従来のようにヒンジ部が壁部に規制されることがない。
【００３９】
したがってボタン１２の動作力が従来のものより軽くなり、ボタン１２の操作性を向上することができる。またヒンジ長Ｌ２を長く確保し得ることで、従来のボタン構造よりボタン１２の回転半径を大きくすることが可能となる。それ故、ボタン１２の操作フィーリングの向上を図ることができる。また従来のボタン構造より、ボタン１２自体の弾性変形を抑制しつつボタン操作可能であるうえ、ヒンジ部がパネル端の壁部に規制されることがないので、ボタン１２の一部に発生し得る応力に起因する破損のおそれを、未然に解消することができる。ヒンジ長を従来のヒンジ長と同等にした場合には、ボタン１２をパネル１０の壁部（つまり端）に近接して配設することができる。このようにデザインの自由度を大きくすることができる。
【００４０】
図２は、本発明の第２の実施形態に係るボタン１７の図であり、図２（ａ）はボタン１７の斜視図、図２（ｂ）はボタン１７の正面図、図２（ｃ）はボタン１７の断面図、図２（ｄ）はボタン１７の底面図である。ただし第１の実施形態と同一の部材には同一の符号を付し、その詳細な説明は省略する。第２の実施形態に係るボタン１７（第２ボタン１７と称す）は、主に、操作部である操作ノブ１８、一方側リブ固定部１９、他方側リブ固定部２０、一方側ヒンジ部２１、他方側ヒンジ部２２および駆動部２３を有し、これらは射出成形などによって一体に形成されている。
【００４１】
第２ボタン１７のうち駆動部２３は、一方および他方側リブ固定部１９，２０、一方および他方側ヒンジ部２１，２２を支点に揺動変位されるようになっている。つまり一方側リブ固定部１９には、この表面部に略垂直に突出するように一方側ヒンジ部２１の先端部分が付設されている。この一方側ヒンジ部２１の基端部分は操作ノブ１８に固着されている。他方側リブ固定部２０には、この表面部に略垂直に突出するように他方側ヒンジ部２２の先端部分が付設されている。この他方側ヒンジ部２２の基端部分は前記操作ノブ１８に固着され、一方側および他方側ヒンジ部２１，２２の軸線Ｌ３は略同軸となるように形成されている。「略垂直」は垂直を含み、「略同軸」は同軸を含む。操作ノブ１８は、前記軸線Ｌ３まわりに揺動変位可能に構成されている。本実施形態においては、一方側および他方側ヒンジ部２１，２２の軸線方向が、延在方向に相当する。
【００４２】
図示外のパネルの壁部には、パネル内方に突出する一対の軸部が付設されている。これら軸部は、所定距離離隔して略平行に設けられている。前記「略平行」は平行を含む。一方側リブ固定部１９には、これら軸部にそれぞれ外装可能な第１および第２孔部１９ａ，１９ｂが形成されている。第１孔部１９ａは一方の軸部にルーズに外装可能に形成されている。第２孔部１９ｂは、長孔状でかつ他方の軸部にルーズに外装可能に形成されている。パネルの壁部には、他方側リブ固定部２０が移動可能に嵌合されている。パネルの壁部のうちの一部分が切欠き形成されており、この切欠き部に、他方側リブ固定部２０が嵌合されている。以上説明した第２ボタン構造によれば、このような他方側リブ固定部２０の嵌合構造、および一方側リブ固定部１９の軸部に対する外装構造によって、操作ノブ１８は、前記軸線Ｌ３まわりの揺動変位を実現することが可能となる。その他第１ボタン構造と同様の効果を奏する。
【００４３】
図３は、本発明の第３の実施形態に係り、複数のボタン２４が連結されて成るボタン構造を示す図である。第３の実施形態においては、複数のボタン２４が共通の柱部材２５に一体に連結されて成る。各ボタン２４は、ヒンジ部２６によって独立して押圧操作可能に構成されている。第３の実施形態に係るボタン構造によれば、複数のボタン２４を一体にパネルに配設することが可能となるので、組立工数の低減を図ることができ、製造コストを低減することができる。その他第１の実施形態のボタン構造と同様の効果を奏する。
【００４４】
図４は、本発明の第４の実施形態に係り、略Ｌ形状に形成されるリブ固定部２７等を示す断面図である。ただし第１の実施形態と同一の部材には同一の符号を付し、その詳細な説明は省略する。本第４の実施形態のボタン構造によれば、リブ固定部２７が略Ｌ形状に形成されるので、壁部に嵌合されるべきリブ固定部２７の嵌合安定性を向上することが可能となる。その他第１の実施形態のボタン構造と同様の効果を奏する。
【００４５】
図５は、本発明の第５の実施形態に係る、露光防止のためのつば２８が付設されるリブ固定部２０等を示す図であり、図５（ａ）は、つば２８が付設されるリブ固定部２０等を示す斜視図、図５（ｂ）は、つば２８が付設されるリブ固定部２０等を示す平面図である。図２（ｂ）〜図２（ｄ）も参照しつつ説明する。パネルの壁部には、「つば２８」が付設されるリブ固定部２０が移動可能に嵌合されている。この壁部には、前記「つば２８」を案内し収容する案内凹部が形成されている。リブ固定部２０が嵌合された状態において、壁部の案内凹部に「つば２８」が収容されるようになっている。この構成によって、パネル内部の光源からの漏光を防止することができる。その他第２の実施形態のボタン構造と同様の効果を奏する。
【００４６】
図６は、本発明の第６の実施形態に係るボタン構造において、パネル１０の壁部を部分的に挟み込むリブ固定部２９等を示す断面図である。ただし第１の実施形態と同一の部材には同一の符号を付し、その詳細な説明は省略する。第６の実施形態に係るボタン構造では、リブ固定部２９が、壁部１０の一表面部および他表面部を部分的に挟み込むように形成されている。この構成によれば、壁部に対するリブ固定部２９の嵌合安定性を向上することが可能となる。その他第１の実施形態のボタン構造と同様の効果を奏する。
【００４７】
図７は、本発明の第７の実施形態に係るボタン構造において、透光材料から成るリブ固定部３０等を示す断面図である。ただし第１の実施形態と同一の部材には同一の符号を付し、その詳細な説明は省略する。第７の実施形態に係るボタン構造では、リブ固定部３０が透光材料から成り、パネル内部の光源３１によって発光可能となっている。したがってボタンの夜間視認性を向上することができる。その他第１の実施形態のボタン構造と同様の効果を奏する。
【００４８】
図８は、本発明の第８の実施形態に係るボタン構造を示す図であり、図８（ａ）は、インジケータを含むボタン構造の正面図、図８（ｂ）は、インジケータを含むボタン構造の断面図である。なお図８（ｂ）は、図８（ａ）のＤ−Ｄ線断面図である。ただし第７の実施形態と同一の部材には同一の符号を付し、その詳細な説明は省略する。リブ固定部３２の一部３２ａは、パネル１０の操作面を成す一表面部１０ａ（所期表面部に相当する）に臨むように形成されている。したがって別のインジケータ等を設けることなく、ボタンの夜間視認性を向上することができる。それ故、本ボタン構造を含む装置の製造コストを一層低減することができる。その他第１の実施形態のボタン構造と同様の効果を奏する。
【００４９】
図９は、本発明の第９の実施形態に係る、被係合部３３が形成されているボタン構造を示す断面図である。ただし第４の実施形態と同一の部材には同一の符号を付し、その詳細な説明は省略する。リブ固定部３４には、パネル１０に隣接して配設すべき、たとえば小物入れ３５を位置決めするための被係合部３３が形成されている。前記小物入れ３５が、対象物に相当する。前記被係合部３３によって、パネル１０に隣接して配設すべき対象物を位置決めすることができる。これによって対象物を車両に位置決めし固着するためのブラケットなどの部品点数の削減を図ることができる。
【００５０】
本発明の実施の他の形態として、パネルに形成される切欠き部のうち、副切欠き部およびスリットの少なくともいずれか一方を省略する場合もある。本発明のボタン構造は、カーオーディオだけに限定されるものではなく、据置形または携帯形の各種電子機器などに適用可能である。リブ固定部は、前述の各実施形態の形状に必ずしも限定されるものではない。ただしリブ固定部は、パネルの壁部に嵌合されることが必須要件である。
【図面の簡単な説明】
【００５１】
【図１】本発明の第１の実施形態に係るボタン構造の図であり、図１（ａ）はボタン構造の正面図、図１（ｂ）はパネル１０とリブ固定部１１との関係を示す平面図、図１（ｃ）はボタン構造の断面図である。
【図２】本発明の第２の実施形態に係るボタン１７の図であり、図２（ａ）はボタン１７の斜視図、図２（ｂ）はボタン１７の正面図、図２（ｃ）はボタン１７の断面図、図２（ｄ）はボタン１７の底面図である。
【図３】本発明の第３の実施形態に係り、複数のボタン２４が連結されて成るボタン構造を示す図である。
【図４】本発明の第４の実施形態に係り、略Ｌ形状に形成されるリブ固定部２７等を示す断面図である。
【図５】本発明の第５の実施形態に係る、露光防止のためのつば２８が付設されるリブ固定部２０等を示す図であり、図５（ａ）は、つば２８が付設されるリブ固定部２０等を示す斜視図、図５（ｂ）は、つば２８が付設されるリブ固定部２０等を示す平面図である。
【図６】本発明の第６の実施形態に係るボタン構造において、パネル１０の壁部を部分的に挟み込むリブ固定部２９等を示す断面図である。
【図７】本発明の第７の実施形態に係るボタン構造において、透光材料から成るリブ固定部３０等を示す断面図である。
【図８】本発明の第８の実施形態に係るボタン構造を示す図であり、図８（ａ）は、インジケータを含むボタン構造の正面図、図８（ｂ）は、インジケータを含むボタン構造の断面図である。
【図９】本発明の第９の実施形態に係る、被係合部３３が形成されているボタン構造を示す断面図である。
【図１０】従来のボタン構造の図であり、図１０（ａ）はボタン構造の正面図、図１０（ｂ）はボタン構造の要部の断面図である。
【符号の説明】
【００５２】
１０  パネル
１２，２４  ボタン
１３  操作ノブ
１４  リブ固定部
２１，２２  ヒンジ部
【図１】
2006049021.tif 000003
【図２】
2006049021.tif 000004
【図３】
2006049021.tif 000005
【図４】
2006049021.tif 000006
【図５】
2006049021.tif 000007
【図６】
2006049021.tif 000008
【図７】
2006049021.tif 000009
【図８】
2006049021.tif 000010
【図９】
2006049021.tif 000011
【図１０】
2006049021.tif 000012